(57)【要約】【課題】照明モジュール1のＬＥＤ2からベース本体10のプラス側電極11aおよびマイナス側電極11bへの伝熱効率を向上させる。【解決手段】照明モジュール1のプラス側受電端子6aおよびマイナス側受電端子6bをヒートパイプによって形成すると共に、プラス側受電端子6aおよびマイナス側受電端子6bの先端に球状部6a2,6b2を形成し、プラス側受電端子6aの先端の断面形状と概略相補形状の断面形状を長手方向に押し出すことにより、ベース本体10のプラス側電極11aを直線レール形状に形成し、マイナス側受電端子6bの先端の断面形状と概略相補形状の断面形状を長手方向に押し出すことにより、ベース本体10のマイナス側電極11bを直線レール形状に形成した。【選択図】図４
2008218109.tif 000002
【特許請求の範囲】
【請求項１】
発光素子と、前記発光素子に電力を供給するためのプラス側受電端子およびマイナス側受電端子とを有する照明モジュールを具備し、
前記プラス側受電端子に電力を供給するためのプラス側電極と、前記マイナス側受電端子に電力を供給するためのマイナス側電極とを、前記照明モジュールが装着されるベース本体に設けた照明装置において、
前記プラス側受電端子および前記マイナス側受電端子をヒートパイプによって形成すると共に、前記プラス側受電端子および前記マイナス側受電端子の先端部を概略球状に形成し、
前記プラス側受電端子の先端部の断面形状と概略相補形状の断面形状を長手方向に押し出すことにより、前記プラス側電極を直線レール形状に形成し、
前記マイナス側受電端子の先端部の断面形状と概略相補形状の断面形状を長手方向に押し出すことにより、前記マイナス側電極を直線レール形状に形成したことを特徴とする照明装置。
【請求項２】
発光素子と、前記発光素子に電力を供給するためのプラス側受電端子およびマイナス側受電端子とを有する照明モジュールを具備し、
前記プラス側受電端子に電力を供給するためのプラス側電極と、前記マイナス側受電端子に電力を供給するためのマイナス側電極とを、前記照明モジュールが装着されるベース本体に設けた照明装置において、
前記プラス側受電端子および前記マイナス側受電端子をヒートパイプによって形成すると共に、前記プラス側受電端子および前記マイナス側受電端子の先端部を概略球状に形成し、
前記プラス側受電端子の先端部の断面形状と概略相補形状の断面形状を、所定の軸線を中心に回転することにより、前記プラス側電極を湾曲レール形状に形成し、
前記マイナス側受電端子の先端部の断面形状と概略相補形状の断面形状を、所定の軸線を中心に回転することにより、前記マイナス側電極を湾曲レール形状に形成したことを特徴とする照明装置。
【請求項３】
発光素子と、前記発光素子に電力を供給するためのプラス側受電端子およびマイナス側受電端子とを有する照明モジュールを具備し、
前記プラス側受電端子に電力を供給するためのプラス側電極と、前記マイナス側受電端子に電力を供給するためのマイナス側電極とを、前記照明モジュールが装着されるベース本体に設けた照明装置において、
前記プラス側受電端子および前記マイナス側受電端子をヒートパイプによって形成すると共に、前記プラス側受電端子および前記マイナス側受電端子を概略Ｕ形状に形成し、前記プラス側受電端子および前記マイナス側受電端子の両端部を概略球状に形成し、
前記プラス側受電端子の端部の断面形状と概略相補形状の断面形状を長手方向に押し出すことにより、前記プラス側電極を直線レール形状に形成し、
前記マイナス側受電端子の端部の断面形状と概略相補形状の断面形状を長手方向に押し出すことにより、前記マイナス側電極を直線レール形状に形成したことを特徴とする照明装置。
【発明の詳細な説明】
【技術分野】
【０００１】
本発明は、発光素子と、その発光素子に電力を供給するためのプラス側受電端子およびマイナス側受電端子とを有する照明モジュールを具備し、プラス側受電端子に電力を供給するためのプラス側電極と、マイナス側受電端子に電力を供給するためのマイナス側電極とを、照明モジュールが装着されるベース本体に設けた照明装置に関し、特には、照明モジュールの発光素子からベース本体のプラス側電極およびマイナス側電極への伝熱効率を向上させることができる照明装置に関する。
【背景技術】
【０００２】
従来から、発光素子と、その発光素子に電力を供給するためのプラス側受電端子およびマイナス側受電端子とを有する照明モジュールを具備し、プラス側受電端子に電力を供給するためのプラス側電極と、マイナス側受電端子に電力を供給するためのマイナス側電極とを、照明モジュールが装着されるベース本体に設けた照明装置が知られている。この種の照明装置の例としては、例えば特開２００４−１９９８９６号公報に記載されたものがある。
【０００３】
特開２００４−１９９８９６号公報に記載された照明装置では、発光素子としてＬＥＤチップが用いられ、発光素子に電力を供給するためのプラス側受電端子およびマイナス側受電端子が、照明モジュールとしてのＬＥＤモジュールに設けられている。
【０００４】
また、特開２００４−１９９８９６号公報に記載された照明装置では、照明モジュールが装着されるベース本体としてのソケットが設けられている。更に、ベース本体には、照明モジュールのプラス側受電端子に電力を供給するためのプラス側電極と、照明モジュールのマイナス側受電端子に電力を供給するためのマイナス側電極とが設けられている。
【０００５】
詳細には、特開２００４−１９９８９６号公報に記載された照明装置では、電流が、ベース本体のプラス側電極、照明モジュールのプラス側受電端子、照明モジュールの発光素子、照明モジュールのマイナス側受電端子、ベース本体のマイナス側電極の順に流れ、照明モジュールの発光素子が点灯される。
【０００６】
更に、特開２００４−１９９８９６号公報に記載された照明装置では、照明モジュールの発光素子が発生した熱の一部が、照明モジュールのプラス側受電端子を介してベース本体のプラス側電極に伝熱され、ベース本体から放熱される。また、照明モジュールの発光素子が発生した熱の一部が、照明モジュールのマイナス側受電端子を介してベース本体のマイナス側電極に伝熱され、ベース本体から放熱される。
【０００７】
そのため、特開２００４−１９９８９６号公報に記載された照明装置では、照明モジュールが装着されるベース本体によって、照明モジュールの発光素子に電力を供給することができると共に、照明モジュールの発光素子が発生した熱を放熱することができる。
【０００８】
ところで、特開２００４−１９９８９６号公報に記載された照明装置では、照明モジュールのプラス側受電端子およびマイナス側受電端子が、金の導電層パターンによって構成されている。そのため、照明モジュールのプラス側受電端子およびマイナス側受電端子による伝熱効率が低く、照明モジュールの発光素子が発生した熱をベース本体のプラス側電極およびマイナス側電極に十分に伝えることができない。
【０００９】
詳細には、特開２００４−１９９８９６号公報に記載された照明装置では、例えば発熱量が大きい発光素子が照明モジュールに設けられている場合に、照明モジュールの発光素子が昇温してしまうおそれがある。
【００１０】
【特許文献１】特開２００４−１９９８９６号公報
【発明の開示】
【発明が解決しようとする課題】
【００１１】
前記問題点に鑑み、本発明は、照明モジュールの発光素子からベース本体のプラス側電極およびマイナス側電極への伝熱効率を向上させることができる照明装置を提供することを目的とする。
【００１２】
詳細には、本発明は、照明モジュールの発光素子からベース本体のプラス側電極およびマイナス側電極への伝熱効率を向上させることができると共に、照明モジュールの発光素子からの光の照射方向を変更することができ、更に、照明モジュールをベース本体に対して長手方向に移動させることができる照明装置を提供することを目的とする。
【００１３】
更に、本発明は、照明モジュールの発光素子からベース本体のプラス側電極およびマイナス側電極への伝熱効率を向上させることができると共に、照明モジュールのプラス側受電端子の先端部とマイナス側受電端子の先端部とを結ぶ直線を中心にベース本体に対して照明モジュールを回転させることができ、更に、ベース本体の中心軸線を中心にベース本体に対して照明モジュールを回転させることができる照明装置を提供することを目的とする。
【００１４】
また、本発明は、照明モジュールの発光素子からベース本体のプラス側電極およびマイナス側電極への伝熱効率を向上させることができると共に、照明モジュールをベース本体に対して長手方向に移動させることができる照明装置を提供することを目的とする。
【課題を解決するための手段】
【００１５】
請求項１に記載の発明によれば、発光素子と、前記発光素子に電力を供給するためのプラス側受電端子およびマイナス側受電端子とを有する照明モジュールを具備し、前記プラス側受電端子に電力を供給するためのプラス側電極と、前記マイナス側受電端子に電力を供給するためのマイナス側電極とを、前記照明モジュールが装着されるベース本体に設けた照明装置において、前記プラス側受電端子および前記マイナス側受電端子をヒートパイプによって形成すると共に、前記プラス側受電端子および前記マイナス側受電端子の先端部を概略球状に形成し、前記プラス側受電端子の先端部の断面形状と概略相補形状の断面形状を長手方向に押し出すことにより、前記プラス側電極を直線レール形状に形成し、前記マイナス側受電端子の先端部の断面形状と概略相補形状の断面形状を長手方向に押し出すことにより、前記マイナス側電極を直線レール形状に形成したことを特徴とする照明装置が提供される。
【００１６】
請求項２に記載の発明によれば、発光素子と、前記発光素子に電力を供給するためのプラス側受電端子およびマイナス側受電端子とを有する照明モジュールを具備し、前記プラス側受電端子に電力を供給するためのプラス側電極と、前記マイナス側受電端子に電力を供給するためのマイナス側電極とを、前記照明モジュールが装着されるベース本体に設けた照明装置において、前記プラス側受電端子および前記マイナス側受電端子をヒートパイプによって形成すると共に、前記プラス側受電端子および前記マイナス側受電端子の先端部を概略球状に形成し、前記プラス側受電端子の先端部の断面形状と概略相補形状の断面形状を、所定の軸線を中心に回転することにより、前記プラス側電極を湾曲レール形状に形成し、前記マイナス側受電端子の先端部の断面形状と概略相補形状の断面形状を、所定の軸線を中心に回転することにより、前記マイナス側電極を湾曲レール形状に形成したことを特徴とする照明装置が提供される。
【００１７】
請求項３に記載の発明によれば、発光素子と、前記発光素子に電力を供給するためのプラス側受電端子およびマイナス側受電端子とを有する照明モジュールを具備し、前記プラス側受電端子に電力を供給するためのプラス側電極と、前記マイナス側受電端子に電力を供給するためのマイナス側電極とを、前記照明モジュールが装着されるベース本体に設けた照明装置において、前記プラス側受電端子および前記マイナス側受電端子をヒートパイプによって形成すると共に、前記プラス側受電端子および前記マイナス側受電端子を概略Ｕ形状に形成し、前記プラス側受電端子および前記マイナス側受電端子の両端部を概略球状に形成し、前記プラス側受電端子の端部の断面形状と概略相補形状の断面形状を長手方向に押し出すことにより、前記プラス側電極を直線レール形状に形成し、前記マイナス側受電端子の端部の断面形状と概略相補形状の断面形状を長手方向に押し出すことにより、前記マイナス側電極を直線レール形状に形成したことを特徴とする照明装置が提供される。
【発明の効果】
【００１８】
請求項１に記載の照明装置では、発光素子と、その発光素子に電力を供給するためのプラス側受電端子およびマイナス側受電端子とを有する照明モジュールが設けられている。また、照明モジュールが装着されるベース本体が設けられている。更に、照明モジュールのプラス側受電端子に電力を供給するためのプラス側電極と、照明モジュールのマイナス側受電端子に電力を供給するためのマイナス側電極とが、ベース本体に設けられている。
【００１９】
詳細には、請求項１に記載の照明装置では、電流が、ベース本体のプラス側電極、照明モジュールのプラス側受電端子、照明モジュールの発光素子、照明モジュールのマイナス側受電端子、ベース本体のマイナス側電極の順に流れ、照明モジュールの発光素子が点灯される。
【００２０】
更に、請求項１に記載の照明装置では、照明モジュールの発光素子が発生した熱の一部が、照明モジュールのプラス側受電端子を介してベース本体のプラス側電極に伝熱され、ベース本体から放熱される。また、照明モジュールの発光素子が発生した熱の一部が、照明モジュールのマイナス側受電端子を介してベース本体のマイナス側電極に伝熱され、ベース本体から放熱される。
【００２１】
そのため、請求項１に記載の照明装置によれば、照明モジュールが装着されるベース本体によって、照明モジュールの発光素子に電力を供給することができると共に、照明モジュールの発光素子が発生した熱を放熱することができる。また、請求項１に記載の照明装置によれば、例えば放熱フィンなどの放熱手段が照明モジュールに設けられ、照明モジュールの放熱手段から放熱が行われる場合よりも、照明モジュールを薄型化・軽量化することができる。
【００２２】
更に、請求項１に記載の照明装置では、照明モジュールのプラス側受電端子およびマイナス側受電端子がヒートパイプによって形成されている。そのため、請求項１に記載の照明装置によれば、照明モジュールのプラス側受電端子およびマイナス側受電端子がヒートパイプによって形成されていない場合よりも、照明モジュールの発光素子からベース本体のプラス側電極およびマイナス側電極への伝熱効率を向上させることができる。
【００２３】
また、請求項１に記載の照明装置では、照明モジュールのプラス側受電端子およびマイナス側受電端子の先端部が概略球状に形成されている。そのため、請求項１に記載の照明装置によれば、照明モジュールのプラス側受電端子の先端部とマイナス側受電端子の先端部とを結ぶ直線を中心にベース本体に対して照明モジュールを回転させることができ、それにより、照明モジュールの発光素子からの光の照射方向を変更することができる。
【００２４】
更に、請求項１に記載の照明装置では、プラス側受電端子の先端部の断面形状と概略相補形状の断面形状を長手方向に押し出すことにより、ベース本体のプラス側電極が直線レール形状に形成されている。また、マイナス側受電端子の先端部の断面形状と概略相補形状の断面形状を長手方向に押し出すことにより、ベース本体のマイナス側電極が直線レール形状に形成されている。
【００２５】
そのため、請求項１に記載の照明装置によれば、照明モジュールのプラス側受電端子をベース本体のプラス側電極に対して長手方向に摺動させると共に、照明モジュールのマイナス側受電端子をベース本体のマイナス側電極に対して長手方向に摺動させることにより、照明モジュールをベース本体に対して長手方向に移動させることができる。
【００２６】
換言すれば、請求項１に記載の照明装置によれば、照明モジュールの発光素子からベース本体のプラス側電極およびマイナス側電極への伝熱効率を向上させることができると共に、照明モジュールの発光素子からの光の照射方向を変更することができ、更に、照明モジュールをベース本体に対して長手方向に移動させることができる。
【００２７】
請求項２に記載の照明装置では、発光素子と、その発光素子に電力を供給するためのプラス側受電端子およびマイナス側受電端子とを有する照明モジュールが設けられている。また、照明モジュールが装着されるベース本体が設けられている。更に、照明モジュールのプラス側受電端子に電力を供給するためのプラス側電極と、照明モジュールのマイナス側受電端子に電力を供給するためのマイナス側電極とが、ベース本体に設けられている。
【００２８】
詳細には、請求項２に記載の照明装置では、電流が、ベース本体のプラス側電極、照明モジュールのプラス側受電端子、照明モジュールの発光素子、照明モジュールのマイナス側受電端子、ベース本体のマイナス側電極の順に流れ、照明モジュールの発光素子が点灯される。
【００２９】
更に、請求項２に記載の照明装置では、照明モジュールの発光素子が発生した熱の一部が、照明モジュールのプラス側受電端子を介してベース本体のプラス側電極に伝熱され、ベース本体から放熱される。また、照明モジュールの発光素子が発生した熱の一部が、照明モジュールのマイナス側受電端子を介してベース本体のマイナス側電極に伝熱され、ベース本体から放熱される。
【００３０】
そのため、請求項２に記載の照明装置によれば、照明モジュールが装着されるベース本体によって、照明モジュールの発光素子に電力を供給することができると共に、照明モジュールの発光素子が発生した熱を放熱することができる。また、請求項２に記載の照明装置によれば、例えば放熱フィンなどの放熱手段が照明モジュールに設けられ、照明モジュールの放熱手段から放熱が行われる場合よりも、照明モジュールを薄型化・軽量化することができる。
【００３１】
更に、請求項２に記載の照明装置では、照明モジュールのプラス側受電端子およびマイナス側受電端子がヒートパイプによって形成されている。そのため、請求項２に記載の照明装置によれば、照明モジュールのプラス側受電端子およびマイナス側受電端子がヒートパイプによって形成されていない場合よりも、照明モジュールの発光素子からベース本体のプラス側電極およびマイナス側電極への伝熱効率を向上させることができる。
【００３２】
また、請求項２に記載の照明装置では、照明モジュールのプラス側受電端子およびマイナス側受電端子の先端部が概略球状に形成されている。そのため、請求項２に記載の照明装置によれば、照明モジュールのプラス側受電端子の先端部とマイナス側受電端子の先端部とを結ぶ直線を中心にベース本体に対して照明モジュールを回転させることができる。
【００３３】
更に、請求項２に記載の照明装置では、プラス側受電端子の先端部の断面形状と概略相補形状の断面形状を、所定の軸線を中心に回転することにより、ベース本体のプラス側電極が湾曲レール形状に形成されている。また、マイナス側受電端子の先端部の断面形状と概略相補形状の断面形状を、所定の軸線を中心に回転することにより、ベース本体のマイナス側電極が湾曲レール形状に形成されている。
【００３４】
そのため、請求項２に記載の照明装置によれば、照明モジュールのプラス側受電端子をベース本体のプラス側電極に対して周方向に摺動させると共に、照明モジュールのマイナス側受電端子をベース本体のマイナス側電極に対して周方向に摺動させることにより、ベース本体の中心軸線を中心にベース本体に対して照明モジュールを回転させることができる。
【００３５】
換言すれば、請求項２に記載の照明装置によれば、照明モジュールの発光素子からベース本体のプラス側電極およびマイナス側電極への伝熱効率を向上させることができると共に、照明モジュールのプラス側受電端子の先端部とマイナス側受電端子の先端部とを結ぶ直線を中心にベース本体に対して照明モジュールを回転させることができ、更に、ベース本体の中心軸線を中心にベース本体に対して照明モジュールを回転させることができる。
【００３６】
請求項３に記載の照明装置では、発光素子と、その発光素子に電力を供給するためのプラス側受電端子およびマイナス側受電端子とを有する照明モジュールが設けられている。また、照明モジュールが装着されるベース本体が設けられている。更に、照明モジュールのプラス側受電端子に電力を供給するためのプラス側電極と、照明モジュールのマイナス側受電端子に電力を供給するためのマイナス側電極とが、ベース本体に設けられている。
【００３７】
詳細には、請求項３に記載の照明装置では、電流が、ベース本体のプラス側電極、照明モジュールのプラス側受電端子、照明モジュールの発光素子、照明モジュールのマイナス側受電端子、ベース本体のマイナス側電極の順に流れ、照明モジュールの発光素子が点灯される。
【００３８】
更に、請求項３に記載の照明装置では、照明モジュールの発光素子が発生した熱の一部が、照明モジュールのプラス側受電端子を介してベース本体のプラス側電極に伝熱され、ベース本体から放熱される。また、照明モジュールの発光素子が発生した熱の一部が、照明モジュールのマイナス側受電端子を介してベース本体のマイナス側電極に伝熱され、ベース本体から放熱される。
【００３９】
そのため、請求項３に記載の照明装置によれば、照明モジュールが装着されるベース本体によって、照明モジュールの発光素子に電力を供給することができると共に、照明モジュールの発光素子が発生した熱を放熱することができる。また、請求項３に記載の照明装置によれば、例えば放熱フィンなどの放熱手段が照明モジュールに設けられ、照明モジュールの放熱手段から放熱が行われる場合よりも、照明モジュールを薄型化・軽量化することができる。
【００４０】
更に、請求項３に記載の照明装置では、照明モジュールのプラス側受電端子およびマイナス側受電端子がヒートパイプによって形成されている。そのため、請求項３に記載の照明装置によれば、照明モジュールのプラス側受電端子およびマイナス側受電端子がヒートパイプによって形成されていない場合よりも、照明モジュールの発光素子からベース本体のプラス側電極およびマイナス側電極への伝熱効率を向上させることができる。
【００４１】
また、請求項３に記載の照明装置では、照明モジュールのプラス側受電端子およびマイナス側受電端子が概略Ｕ形状に形成され、照明モジュールのプラス側受電端子およびマイナス側受電端子の両端部が概略球状に形成されている。
【００４２】
更に、請求項３に記載の照明装置では、プラス側受電端子の端部の断面形状と概略相補形状の断面形状を長手方向に押し出すことにより、ベース本体のプラス側電極が直線レール形状に形成されている。また、マイナス側受電端子の端部の断面形状と概略相補形状の断面形状を長手方向に押し出すことにより、ベース本体のマイナス側電極が直線レール形状に形成されている。
【００４３】
そのため、請求項３に記載の照明装置によれば、照明モジュールのプラス側受電端子の両端部をベース本体のプラス側電極に対して長手方向に摺動させると共に、照明モジュールのマイナス側受電端子の両端部をベース本体のマイナス側電極に対して長手方向に摺動させることにより、照明モジュールをベース本体に対して長手方向に移動させることができる。
【００４４】
換言すれば、請求項３に記載の照明装置によれば、照明モジュールの発光素子からベース本体のプラス側電極およびマイナス側電極への伝熱効率を向上させることができると共に、照明モジュールをベース本体に対して長手方向に移動させることができる。
【発明を実施するための最良の形態】
【００４５】
以下、本発明の照明装置の第１の実施形態について説明する。図１は第１の実施形態の照明装置の一部を構成する照明モジュール１を斜め上側から見た斜視図である。図２は照明モジュール１を斜め下側から見た斜視図である。図３は照明モジュール１の分解斜視図である。
【００４６】
図１〜図３において、２は発光素子としてのＬＥＤを示しており、３はＬＥＤ２が実装されたフレキシブル基板を示している。このフレキシブル基板３では、下側の絶縁層３ａと上側の絶縁層３ｄとによって導体パターン（図示せず）が狭持されている。詳細には、図２に示すように、導体パターンの一部を構成するプラス側導体パターン３ｂおよびマイナス側導体パターン３ｃが、下側の絶縁層３ａから露出せしめられている。
【００４７】
また、図１〜図３において、４ａ，４ｂは例えば銅またはアルミニウム製の金属基板を示しており、５ａ，５ｂは絶縁性補強板を示している。６ａはＬＥＤ２に電力を供給するためのプラス側受電端子を示しており、６ａ１はプラス側受電端子６ａの円柱状部を示しており、６ａ２はプラス側受電端子６ａの球状部を示している。６ｂはＬＥＤ２に電力を供給するためのマイナス側受電端子を示しており、６ｂ１はマイナス側受電端子６ｂの円柱状部を示しており、６ｂ２はマイナス側受電端子６ｂの球状部を示している。７ａはプラス側受電端子６ａとフレキシブル基板３のプラス側導体パターン３ｂとを電気接続するためのワイヤハーネスを示しており、７ｂはマイナス側受電端子６ｂとフレキシブル基板３のマイナス側導体パターン３ｃとを電気接続するためのワイヤハーネスを示している。
【００４８】
第１の実施形態の照明装置では、図１〜図３に示すように、プラス側受電端子６ａおよびマイナス側受電端子６ｂがヒートパイプによって形成されている。詳細には、円柱状のヒートパイプの先端部を概略球状に加工することにより、プラス側受電端子６ａの球状部６ａ２およびマイナス側受電端子６ｂの球状部６ｂ２が形成されている。更に、プラス側受電端子６ａの円柱状部６ａ１が例えば半田のような熱伝導性が良い接合材によって金属基板４ａに接合され、マイナス側受電端子６ｂの円柱状部６ｂ１が例えば半田のような熱伝導性が良い接合材によって金属基板４ｂに接合されている。
【００４９】
また、第１の実施形態の照明装置では、図２に示すように、例えば４個のＬＥＤ２が、プラス側受電端子６ａおよびマイナス側受電端子６ｂに対して直列または並列に電気接続されている。
【００５０】
図４は照明モジュール１がベース本体１０に装着される状態を示した斜視図、図５は照明モジュール１がベース本体１０に装着された状態を示した部分断面図である。
【００５１】
図４および図５において、１１ａはプラス側受電端子６ａに電力を供給するための例えば銅またはアルミニウム製のプラス側電極を示している。１１ａ１はプラス側電極１１ａのうち、プラス側受電端子６ａの円柱状部６ａ１の断面形状と概略相補形状の部分を示しており、１１ａ２はプラス側電極１１ａのうち、プラス側受電端子６ａの球状部６ａ２の断面形状と概略相補形状の部分を示している。１１ｂはマイナス側受電端子６ｂに電力を供給するための例えば銅またはアルミニウム製のマイナス側電極を示している。１１ｂ１はマイナス側電極１１ｂのうち、マイナス側受電端子６ｂの円柱状部６ｂ１の断面形状と概略相補形状の部分を示しており、１１ｂ２はマイナス側電極１１ｂのうち、マイナス側受電端子６ｂの球状部６ｂ２の断面形状と概略相補形状の部分を示している。
【００５２】
第１の実施形態の照明装置では、図１および図４に示すように、プラス側受電端子６ａの先端部の断面形状と概略相補形状の断面形状を長手方向（図４の右手前−左奥方向）に押し出すことにより、つまり、プラス側受電端子６ａの円柱状部６ａ１の一部および球状部６ａ２の断面形状と概略相補形状の断面形状を長手方向（図４の右手前−左奥方向）に押し出すことにより、プラス側電極１１ａが、直線レール形状に形成されている。また、マイナス側受電端子６ｂの先端部の断面形状と概略相補形状の断面形状を長手方向（図４の右手前−左奥方向）に押し出すことにより、つまり、マイナス側受電端子６ｂの円柱状部６ｂ１の一部および球状部６ｂ２の断面形状と概略相補形状の断面形状を長手方向（図４の右手前−左奥方向）に押し出すことにより、マイナス側電極１１ｂが、直線レール形状に形成されている。第１の実施形態の照明装置では、プラス側電極１１ａおよびマイナス側電極１１ｂの内側表面に放熱グリスが塗布されている。
【００５３】
更に、図４および図５において、１２はプラス側電極７ａおよびマイナス側電極７ｂを支持するためのフレームを示している。第１の実施形態の照明装置では、例えば金属のような熱伝導性が良い材料によってフレーム１２が構成されている。また、例えばねじ止めなどにより、フレーム１２が例えば天井などに対して固定されている。
【００５４】
また、図４および図５において、１３はプラス側電極１１ａとフレーム１２とを電気的に絶縁し、マイナス側電極１１ｂとフレーム１２とを電気的に絶縁するための絶縁部材を示している。第１の実施形態の照明装置では、例えば絶縁性熱伝導性シート、シリコン接着剤などによって絶縁部材１３が構成されている。更に、図４および図５において、１４ａはプラス側電極１１ａに電力を供給するためのワイヤハーネスを示しており、１４ｂはマイナス側電極１１ｂに電力を供給するためのワイヤハーネスを示している。
【００５５】
第１の実施形態の照明装置では、図５に示すように、電流が、ベース本体１０のプラス側電極１１ａ、照明モジュール１のプラス側受電端子６ａ、ワイヤハーネス７ａ、プラス側導体パターン３ａ、ＬＥＤ２、マイナス側導体パターン３ｂ、ワイヤハーネス７ｂ、マイナス側受電端子６ｂ、ベース本体１０のマイナス側電極１１ｂの順に流れる。その結果、照明モジュール１のＬＥＤ２が点灯され、ＬＥＤ２からの光が図５の下側に照射される。
【００５６】
更に、第１の実施形態の照明装置では、図４および図５に示すように、照明モジュール１のＬＥＤ２が発生した熱の一部が、照明モジュール１のフレキシブル基板３、金属基板４ａおよびプラス側受電端子６ａを介してベース本体１０のプラス側電極１１ａに伝熱され、ベース本体１０から放熱される。詳細には、図４に示すように、ベース本体１０のプラス側電極１１ａに伝熱された熱の一部が、プラス側電極１１ａの表面のうち、照明モジュール１のプラス側受電端子６ａと接触しておらず、空気と接触している部分から空気中に放熱される。また、ベース本体１０のプラス側電極１１ａに伝熱された熱の一部が、絶縁部材１３を介してフレーム１２に伝熱され、フレーム１２の表面から、空気中に放熱されるか、あるいは、天井に伝熱される。
【００５７】
また、第１の実施形態の照明装置では、図４および図５に示すように、照明モジュール１のＬＥＤ２が発生した熱の一部が、照明モジュール１のフレキシブル基板３、金属基板４ｂおよびマイナス側受電端子６ｂを介してベース本体１０のマイナス側電極１１ｂに伝熱され、ベース本体１０から放熱される。詳細には、図４に示すように、ベース本体１０のマイナス側電極１１ｂに伝熱された熱の一部が、マイナス側電極１１ｂの表面のうち、照明モジュール１のマイナス側受電端子６ｂと接触しておらず、空気と接触している部分から空気中に放熱される。また、ベース本体１０のマイナス側電極１１ｂに伝熱された熱の一部が、絶縁部材１３を介してフレーム１２に伝熱され、フレーム１２の表面から、空気中に放熱されるか、あるいは、天井に伝熱される。
【００５８】
そのため、第１の実施形態の照明装置によれば、照明モジュール１が装着されるベース本体１０によって、照明モジュール１のＬＥＤ２に電力を供給することができると共に、照明モジュール１のＬＥＤ２が発生した熱を放熱することができる。
【００５９】
更に、第１の実施形態の照明装置では、照明モジュール１のプラス側受電端子６ａおよびマイナス側受電端子６ｂがヒートパイプによって形成されている。そのため、第１の実施形態の照明装置によれば、照明モジュール１のプラス側受電端子６ａおよびマイナス側受電端子６ｂがヒートパイプによって形成されていない場合よりも、照明モジュール１のＬＥＤ２からベース本体１０のプラス側電極１１ａおよびマイナス側電極１１ｂへの伝熱効率を向上させることができる。
【００６０】
また、第１の実施形態の照明装置では、図４に示すように、照明モジュール１のプラス側受電端子６ａの先端部に球状部６ａ２が設けられ、マイナス側受電端子６ｂの先端部に球状部６ｂ２が設けられている。そのため、第１の実施形態の照明装置によれば、図４および図５に示すように、照明モジュール１のプラス側受電端子６ａの球状部６ａ２とマイナス側受電端子６ｂの球状部６ｂ２とを結ぶ直線Ｌを中心にベース本体１０に対して照明モジュール１を回転させることができ、それにより、照明モジュール１のＬＥＤ２からの光の照射方向を変更することができる。
【００６１】
更に、第１の実施形態の照明装置では、図４に示すように、プラス側受電端子６ａの先端部（円柱状部６ａ１の一部および球状部６ａ２）の断面形状と概略相補形状の断面形状を長手方向（図４の右手前−左奥方向）に押し出すことにより、ベース本体１０のプラス側電極１１ａが直線レール形状に形成されている。また、マイナス側受電端子６ｂの先端部（円柱状部６ｂ１の一部および球状部６ｂ２）の断面形状と概略相補形状の断面形状を長手方向（図４の右手前−左奥方向）に押し出すことにより、ベース本体１０のマイナス側電極１１ｂが直線レール形状に形成されている。
【００６２】
そのため、第１の実施形態の照明装置によれば、照明モジュール１のプラス側受電端子６ａをベース本体１０のプラス側電極１１ａに対して長手方向（図４の右手前−左奥方向）に摺動させると共に、照明モジュール１のマイナス側受電端子６ｂをベース本体１０のマイナス側電極１１ｂに対して長手方向（図４の右手前−左奥方向）に摺動させることにより、照明モジュール１をベース本体１０に対して長手方向（図４の右手前−左奥方向）に移動させることができる。
【００６３】
第１の実施形態の照明装置では、ワイヤハーネス７ａ，７ｂが設けられているが、第２の実施形態の照明装置では、代わりに、ワイヤハーネス７ａ，７ｂを省略することも可能である。詳細には、第２の実施形態の照明装置では、プラス側導体パターン３ａと金属基板４ａとが例えば半田などによって電気接続され、マイナス側導体パターン３ｂと金属基板４ｂとが例えば半田などによって電気接続されている。そのため、電流が、ベース本体１０のプラス側電極１１ａ、照明モジュール１のプラス側受電端子６ａ、金属基板４ａ、プラス側導体パターン３ａ、ＬＥＤ２、マイナス側導体パターン３ｂ、金属基板４ｂ、マイナス側受電端子６ｂ、ベース本体１０のマイナス側電極１１ｂの順に流れる。その結果、照明モジュール１のＬＥＤ２が点灯され、ＬＥＤ２からの光が図５の下側に照射される。
【００６４】
図６は第３の実施形態の照明装置の一部を構成する照明モジュール１’を斜め上側から見た斜視図である。第１の実施形態の照明装置では、図１に示すように、２個の絶縁性補強板５ａ，５ｂによってフレキシブル基板３が補強されているが、第３の実施形態の照明装置では、代わりに、図６に示すように、２個の絶縁性補強板５ａ，５ｂと同様の機能を有する一部材の絶縁性補強板５’によってフレキシブル基板３が補強されている。
【００６５】
図７は第４の実施形態の照明装置の照明モジュール１がベース本体１０’に装着された状態を示した部分断面図である。第１の実施形態の照明装置では、図４に示すように、例えば金属のような熱伝導性が良い材料によってフレーム１２が構成され、更に、プラス側電極１１ａとフレーム１２とを電気的に絶縁し、マイナス側電極１１ｂとフレーム１２とを電気的に絶縁するための絶縁部材１３が設けられているが、第４の実施形態の照明装置では、代わりに、図７に示すように、絶縁部材１３が省略され、熱伝導性が良い絶縁性の材料によってフレーム１２’が構成されている。
【００６６】
以下、本発明の照明装置の第５の実施形態について説明する。図８は第５の実施形態の照明装置の一部を構成する照明モジュール１０１を斜め上側から見た斜視図である。図９は照明モジュール１０１を斜め下側から見た斜視図である。図１０は照明モジュール１０１の分解斜視図である。
【００６７】
図８〜図１０において、１０８はプラス側受電端子６ａの円柱状部６ａ１およびマイナス側受電端子６ｂの円柱状部６ｂ１を覆うための受電端子カバーを示している。１０９はカバーレンズを示しており、１０９ａは絶縁性補強板５ａ，５ｂと係合するための係合突起を示している。１０９ｂは照明モジュール１０１の向きを変更するためのつまみを示している。第１の実施形態の照明装置では、図１〜図３に示すように、照明モジュール１が概略矩形に形成されているが、第５の実施形態の照明装置では、図８〜図１０に示すように、照明モジュール１０１が概略円形に形成されている。
【００６８】
図１１は第５の実施形態の照明装置のベース本体１１０の断面図である。第１の実施形態の照明装置では、図４および図５に示すように、プラス側電極１１ａが一部材によって構成されているが、第５の実施形態の照明装置では、図１１に示すように、プラス側電極上側片１１１ａ−１およびプラス側電極下側片１１１ａ−２によってプラス側電極が構成されており、プラス側電極上側片１１１ａ−１およびプラス側電極下側片１１１ａ−２が、例えばねじ止めによって結合される。また、第１の実施形態の照明装置では、図４および図５に示すように、マイナス側電極１１ｂが一部材によって構成されているが、第５の実施形態の照明装置では、図１１に示すように、マイナス側電極上側片１１１ｂ−１およびマイナス側電極下側片１１１ｂ−２によってマイナス側電極が構成されており、マイナス側電極上側片１１１ｂ−１およびマイナス側電極下側片１１１ｂ−２が、例えばねじ止めによって結合される。更に、第１の実施形態の照明装置では、図４および図５に示すように、フレーム１２が一部材によって構成されているが、第５の実施形態の照明装置では、図１１に示すように、フレーム上側片１１２−１およびフレーム下側片１１２−２によってフレームが構成されており、フレーム上側片１１２−１およびフレーム下側片１１２−２が、例えばねじ止めによって結合される。
【００６９】
図１２はプラス側電極下側片１１１ａ−２およびマイナス側電極下側片１１１ｂ−２を図１１の上側から見た図、図１３はプラス側電極上側片１１１ａ−１およびマイナス側電極上側片１１１ｂ−１を図１１の下側から見た図である。図１１〜図１３において、１１１ａ１−１はプラス側電極上側片１１１ａ−１のうち、プラス側受電端子６ａの円柱状部６ａ１の断面形状と概略相補形状の部分を示しており、１１１ａ２−１はプラス側電極上側片１１１ａ−１のうち、プラス側受電端子６ａの球状部６ａ２の断面形状と概略相補形状の部分を示している。１１１ａ１−２はプラス側電極下側片１１１ａ−２のうち、プラス側受電端子６ａの円柱状部６ａ１の断面形状と概略相補形状の部分を示しており、１１１ａ２−２はプラス側電極下側片１１１ａ−２のうち、プラス側受電端子６ａの球状部６ａ２の断面形状と概略相補形状の部分を示している。
【００７０】
また、図１１〜図１３において、１１１ｂ１−１はマイナス側電極上側片１１１ｂ−１のうち、マイナス側受電端子６ｂの円柱状部６ｂ１の断面形状と概略相補形状の部分を示しており、１１１ｂ２−１はマイナス側電極上側片１１１ｂ−１のうち、マイナス側受電端子６ｂの球状部６ｂ２の断面形状と概略相補形状の部分を示している。１１１ｂ１−２はマイナス側電極下側片１１１ｂ−２のうち、マイナス側受電端子６ｂの円柱状部６ｂ１の断面形状と概略相補形状の部分を示しており、１１１ｂ２−２はマイナス側電極下側片１１１ｂ−２のうち、マイナス側受電端子６ｂの球状部６ｂ２の断面形状と概略相補形状の部分を示している。
【００７１】
第５の実施形態の照明装置では、図１１〜図１３に示すように、プラス側受電端子６ａの先端部の断面形状と概略相補形状の断面形状を、ベース本体１１０の中心軸線ＣＬを中心に回転することにより、つまり、プラス側受電端子６ａの円柱状部６ａ１の一部および球状部６ａ２の断面形状と概略相補形状の断面形状を、ベース本体１１０の中心軸線ＣＬを中心に回転することにより、プラス側電極（プラス側電極上側片１１１ａ−１およびプラス側電極下側片１１１ａ−２）が、湾曲レール形状に形成されている。また、マイナス側受電端子６ｂの先端部の断面形状と概略相補形状の断面形状を、ベース本体１１０の中心軸線ＣＬを中心に回転することにより、つまり、マイナス側受電端子６ｂの円柱状部６ｂ１の一部および球状部６ｂ２の断面形状と概略相補形状の断面形状を、ベース本体１１０の中心軸線ＣＬを中心に回転することにより、マイナス側電極（マイナス側電極上側片１１１ｂ−１およびマイナス側電極下側片１１１ｂ−２）が、湾曲レール形状に形成されている。第５の実施形態の照明装置では、プラス側電極（プラス側電極上側片１１１ａ−１およびプラス側電極下側片１１１ａ−２）およびマイナス側電極（マイナス側電極上側片１１１ｂ−１およびマイナス側電極下側片１１１ｂ−２）の内側表面に放熱グリスが塗布されている。
【００７２】
図１４は照明モジュール１０１がベース本体１１０に装着される状態を示した図、図１５は照明モジュール１０１がベース本体１１０に装着された状態を示した図である。
【００７３】
第５の実施形態の照明装置では、図１５に示すように、電流が、ベース本体１１０のプラス側電極（プラス側電極上側片１１１ａ−１およびプラス側電極下側片１１１ａ−２）、照明モジュール１０１のプラス側受電端子６ａ、ワイヤハーネス７ａ、プラス側導体パターン３ａ、ＬＥＤ２、マイナス側導体パターン３ｂ、ワイヤハーネス７ｂ、マイナス側受電端子６ｂ、ベース本体１１０のマイナス側電極（マイナス側電極上側片１１１ｂ−１およびマイナス側電極下側片１１１ｂ−２）の順に流れる。その結果、照明モジュール１０１のＬＥＤ２が点灯され、ＬＥＤ２からの光が図１５の下側に照射される。
【００７４】
更に、第５の実施形態の照明装置では、図１５に示すように、照明モジュール１０１のＬＥＤ２が発生した熱の一部が、照明モジュール１０１のフレキシブル基板３、金属基板４ａおよびプラス側受電端子６ａを介してベース本体１１０のプラス側電極（プラス側電極上側片１１１ａ−１およびプラス側電極下側片１１１ａ−２）に伝熱され、ベース本体１１０から放熱される。詳細には、図１１および図１５に示すように、ベース本体１１０のプラス側電極（プラス側電極上側片１１１ａ−１およびプラス側電極下側片１１１ａ−２）に伝熱された熱の一部が、プラス側電極（プラス側電極上側片１１１ａ−１およびプラス側電極下側片１１１ａ−２）の表面のうち、照明モジュール１０１のプラス側受電端子６ａと接触しておらず、空気と接触している部分から空気中に放熱される。また、ベース本体１１０のプラス側電極（プラス側電極上側片１１１ａ−１およびプラス側電極下側片１１１ａ−２）に伝熱された熱の一部が、絶縁部材１３を介してフレーム（フレーム上側片１１２−１およびフレーム下側片１１２−２）に伝熱され、フレーム（フレーム上側片１１２−１およびフレーム下側片１１２−２）の表面から、空気中に放熱されるか、あるいは、天井に伝熱される。
【００７５】
また、第５の実施形態の照明装置では、図１５に示すように、照明モジュール１０１のＬＥＤ２が発生した熱の一部が、照明モジュール１０１のフレキシブル基板３、金属基板４ｂおよびマイナス側受電端子６ｂを介してベース本体１１０のマイナス側電極（マイナス側電極上側片１１１ｂ−１およびマイナス側電極下側片１１１ｂ−２）に伝熱され、ベース本体１１０から放熱される。詳細には、図１１および図１５に示すように、ベース本体１１０のマイナス側電極（マイナス側電極上側片１１１ｂ−１およびマイナス側電極下側片１１１ｂ−２）に伝熱された熱の一部が、マイナス側電極（マイナス側電極上側片１１１ｂ−１およびマイナス側電極下側片１１１ｂ−２）の表面のうち、照明モジュール１０１のマイナス側受電端子６ｂと接触しておらず、空気と接触している部分から空気中に放熱される。また、ベース本体１１０のマイナス側電極（マイナス側電極上側片１１１ｂ−１およびマイナス側電極下側片１１１ｂ−２）に伝熱された熱の一部が、絶縁部材１３を介してフレーム（フレーム上側片１１２−１およびフレーム下側片１１２−２）に伝熱され、フレーム（フレーム上側片１１２−１およびフレーム下側片１１２−２）の表面から、空気中に放熱されるか、あるいは、天井に伝熱される。
【００７６】
そのため、第５の実施形態の照明装置によれば、照明モジュール１０１が装着されるベース本体１１０によって、照明モジュール１０１のＬＥＤ２に電力を供給することができると共に、照明モジュール１０１のＬＥＤ２が発生した熱を放熱することができる。
【００７７】
更に、第５の実施形態の照明装置では、照明モジュール１０１のプラス側受電端子６ａおよびマイナス側受電端子６ｂがヒートパイプによって形成されている。そのため、第５の実施形態の照明装置によれば、照明モジュール１０１のプラス側受電端子６ａおよびマイナス側受電端子６ｂがヒートパイプによって形成されていない場合よりも、照明モジュール１０１のＬＥＤ２からベース本体１１０のプラス側電極（プラス側電極上側片１１１ａ−１およびプラス側電極下側片１１１ａ−２）およびマイナス側電極（マイナス側電極上側片１１１ｂ−１およびマイナス側電極下側片１１１ｂ−２）への伝熱効率を向上させることができる。
【００７８】
また、第５の実施形態の照明装置では、図８に示すように、照明モジュール１０１のプラス側受電端子６ａの先端部に球状部６ａ２が設けられ、マイナス側受電端子６ｂの先端部に球状部６ｂ２が設けられている。そのため、第５の実施形態の照明装置によれば、図８および図１５に示すように、照明モジュール１０１のプラス側受電端子６ａの球状部６ａ２とマイナス側受電端子６ｂの球状部６ｂ２とを結ぶ直線Ｌを中心にベース本体１１０に対して照明モジュール１０１を回転させることができ、それにより、照明モジュール１０１のＬＥＤ２からの光の照射方向を変更することができる。
【００７９】
更に、第５の実施形態の照明装置では、図１２および図１３に示すように、照明モジュール１０１のプラス側受電端子６ａの先端部の断面形状と概略相補形状の断面形状を、ベース本体１１０の中心軸線ＣＬを中心に回転することにより、ベース本体１１０のプラス側電極（プラス側電極上側片１１１ａ−１およびプラス側電極下側片１１１ａ−２）が湾曲レール形状に形成されている。また、照明モジュール１０１のマイナス側受電端子６ｂの先端部の断面形状と概略相補形状の断面形状を、ベース本体１１０の中心軸線ＣＬを中心に回転することにより、ベース本体１１０のマイナス側電極（マイナス側電極上側片１１１ｂ−１およびマイナス側電極下側片１１１ｂ−２）が湾曲レール形状に形成されている。
【００８０】
そのため、第５の実施形態の照明装置によれば、図１５に示すように、照明モジュール１０１のプラス側受電端子６ａをベース本体１１０のプラス側電極（プラス側電極上側片１１１ａ−１およびプラス側電極下側片１１１ａ−２）に対して周方向に摺動させると共に、照明モジュール１０１のマイナス側受電端子６ｂをベース本体１１０のマイナス側電極（マイナス側電極上側片１１１ｂ−１およびマイナス側電極下側片１１１ｂ−２）に対して周方向に摺動させることにより、ベース本体１１０の中心軸線ＣＬを中心にベース本体１１０に対して照明モジュール１０１を回転させることができる。
【００８１】
第５の実施形態の照明装置では、図１０に示すように、係合突起１０９ａによってカバーレンズ１０９が絶縁性補強板５ａ，５ｂに固定されているが、第６の実施形態の照明装置では、代わりに、例えばねじ止めによってカバーレンズ１０９を絶縁性補強板５ａ，５ｂあるいは金属基板４ａ，４ｂに固定することも可能である。
【００８２】
図１６は第７の実施形態の照明装置の一部を構成する照明モジュール１０１’を斜め上側から見た斜視図である。第５の実施形態の照明装置では、図８に示すように、２個の絶縁性補強板５ａ，５ｂによってフレキシブル基板３が補強されているが、第７の実施形態の照明装置では、代わりに、図１６に示すように、２個の絶縁性補強板５ａ，５ｂと同様の機能を有する一部材の絶縁性補強板５’によってフレキシブル基板３が補強されている。
【００８３】
図１７は第８の実施形態の照明装置の照明モジュール１０１がベース本体１１０’に装着される状態を示した図である。第５の実施形態の照明装置では、図１４に示すように、例えば金属のような熱伝導性が良い材料によってフレーム上側片１１２−１およびフレーム下側片１１２−２が構成され、更に、プラス側電極（プラス側電極上側片１１１ａ−１およびプラス側電極下側片１１１ａ−２）とフレーム上側片１１２−１およびフレーム下側片１１２−２とを電気的に絶縁し、マイナス側電極（マイナス側電極上側片１１１ｂ−１およびマイナス側電極下側片１１１ｂ−２）とフレーム上側片１１２−１およびフレーム下側片１１２−２とを電気的に絶縁するための絶縁部材１３が設けられているが、第８の実施形態の照明装置では、代わりに、図１７に示すように、絶縁部材１３が省略され、熱伝導性が良い絶縁性の材料によってフレーム上側片１１２−１’およびフレーム下側片１１２−２’が構成されている。
【００８４】
以下、本発明の照明装置の第９の実施形態について説明する。図１８は第９の実施形態の照明装置の一部を構成する照明モジュール２０１を斜め上側から見た斜視図である。図１９は照明モジュール２０１を斜め下側から見た斜視図である。
【００８５】
図１８および図１９において、２０５は絶縁性補強板を示しており、２０６ａはＬＥＤ２に電力を供給するための概略Ｕ形状のプラス側受電端子を示しており、２０６ａ２はプラス側受電端子２０６ａの両端の球状部を示しており、２０６ａ１は２個の球状部２０６ａ２を橋絡するための橋絡部を示している。２０６ｂはＬＥＤ２に電力を供給するための概略Ｕ形状のマイナス側受電端子を示しており、２０６ｂ２はマイナス側受電端子２０６ｂの両端の球状部を示しており、２０６ｂ１は２個の球状部２０６ｂ２を橋絡するための橋絡部を示している。
【００８６】
第９の実施形態の照明装置では、図１８および図１９に示すように、プラス側受電端子２０６ａおよびマイナス側受電端子２０６ｂがヒートパイプによって形成されている。詳細には、概略Ｕ形状のヒートパイプの両端部を概略球状に加工することにより、プラス側受電端子２０６ａの球状部２０６ａ２およびマイナス側受電端子２０６ｂの球状部２０６ｂ２が形成されている。更に、プラス側受電端子２０６ａの橋絡部２０６ａ１が例えば半田のような熱伝導性が良い接合材によって金属基板４ａに接合され、マイナス側受電端子２０６ｂの橋絡部２０６ｂ１が例えば半田のような熱伝導性が良い接合材によって金属基板４ｂに接合されている。
【００８７】
図２０は照明モジュール２０１がベース本体１０に装着される状態を示した斜視図である。第９の実施形態の照明装置では、図１８および図２０に示すように、プラス側受電端子２０６ａの端部の断面形状と概略相補形状の断面形状を長手方向（図２０の右手前−左奥方向）に押し出すことにより、つまり、プラス側受電端子２０６ａの橋絡部２０６ａ１の一部および球状部２０６ａ２の断面形状と概略相補形状の断面形状を長手方向（図２０の右手前−左奥方向）に押し出すことにより、プラス側電極１１ａが、直線レール形状に形成されている。また、マイナス側受電端子２０６ｂの端部の断面形状と概略相補形状の断面形状を長手方向（図２０の右手前−左奥方向）に押し出すことにより、つまり、マイナス側受電端子２０６ｂの橋絡部２０６ｂ１の一部および球状部２０６ｂ２の断面形状と概略相補形状の断面形状を長手方向（図２０の右手前−左奥方向）に押し出すことにより、マイナス側電極１１ｂが、直線レール形状に形成されている。第９の実施形態の照明装置では、プラス側電極１１ａおよびマイナス側電極１１ｂの内側表面に放熱グリスが塗布されている。
【００８８】
第９の実施形態の照明装置では、図１８〜図２０に示すように、電流が、ベース本体１０のプラス側電極１１ａ、照明モジュール２０１のプラス側受電端子２０６ａ、ワイヤハーネス７ａ、プラス側導体パターン３ａ、ＬＥＤ２、マイナス側導体パターン３ｂ、ワイヤハーネス７ｂ、マイナス側受電端子２０６ｂ、ベース本体１０のマイナス側電極１１ｂの順に流れる。その結果、照明モジュール２０１のＬＥＤ２が点灯され、ＬＥＤ２からの光が図２０の下側に照射される。
【００８９】
更に、第９の実施形態の照明装置では、図１８〜図２０に示すように、照明モジュール２０１のＬＥＤ２が発生した熱の一部が、照明モジュール２０１のフレキシブル基板３、金属基板４ａおよびプラス側受電端子２０６ａを介してベース本体１０のプラス側電極１１ａに伝熱され、ベース本体１０から放熱される。詳細には、図２０に示すように、ベース本体１０のプラス側電極１１ａに伝熱された熱の一部が、プラス側電極１１ａの表面のうち、照明モジュール２０１のプラス側受電端子２０６ａと接触しておらず、空気と接触している部分から空気中に放熱される。また、ベース本体１０のプラス側電極１１ａに伝熱された熱の一部が、絶縁部材１３を介してフレーム１２に伝熱され、フレーム１２の表面から、空気中に放熱されるか、あるいは、天井に伝熱される。
【００９０】
また、第９の実施形態の照明装置では、図１８〜図２０に示すように、照明モジュール２０１のＬＥＤ２が発生した熱の一部が、照明モジュール２０１のフレキシブル基板３、金属基板４ｂおよびマイナス側受電端子２０６ｂを介してベース本体１０のマイナス側電極１１ｂに伝熱され、ベース本体１０から放熱される。詳細には、図２０に示すように、ベース本体１０のマイナス側電極１１ｂに伝熱された熱の一部が、マイナス側電極１１ｂの表面のうち、照明モジュール２０１のマイナス側受電端子２０６ｂと接触しておらず、空気と接触している部分から空気中に放熱される。また、ベース本体１０のマイナス側電極１１ｂに伝熱された熱の一部が、絶縁部材１３を介してフレーム１２に伝熱され、フレーム１２の表面から、空気中に放熱されるか、あるいは、天井に伝熱される。
【００９１】
そのため、第９の実施形態の照明装置によれば、照明モジュール２０１が装着されるベース本体１０によって、照明モジュール２０１のＬＥＤ２に電力を供給することができると共に、照明モジュール２０１のＬＥＤ２が発生した熱を放熱することができる。
【００９２】
更に、第９の実施形態の照明装置では、照明モジュール２０１のプラス側受電端子２０６ａおよびマイナス側受電端子２０６ｂがヒートパイプによって形成されている。そのため、第９の実施形態の照明装置によれば、照明モジュール２０１のプラス側受電端子２０６ａおよびマイナス側受電端子２０６ｂがヒートパイプによって形成されていない場合よりも、照明モジュール２０１のＬＥＤ２からベース本体１０のプラス側電極１１ａおよびマイナス側電極１１ｂへの伝熱効率を向上させることができる。
【００９３】
また、第９の実施形態の照明装置では、図１８に示すように、照明モジュール２０１のプラス側受電端子２０６ａおよびマイナス側受電端子２０６ｂが概略Ｕ形状に形成され、プラス側受電端子２０６ａの両端に球状部２０６ａ２が形成され、マイナス側受電端子２０６ｂの両端に球状部２０６ｂ２が形成されている。
【００９４】
更に、第９の実施形態の照明装置では、図２０に示すように、プラス側受電端子２０６ａの端部（橋絡部２０６ａ１の一部および球状部２０６ａ２）の断面形状と概略相補形状の断面形状を長手方向（図２０の右手前−左奥方向）に押し出すことにより、ベース本体１０のプラス側電極１１ａが直線レール形状に形成されている。また、マイナス側受電端子２０６ｂの端部（橋絡部２０６ｂ１の一部および球状部２０６ｂ２）の断面形状と概略相補形状の断面形状を長手方向（図２０の右手前−左奥方向）に押し出すことにより、ベース本体１０のマイナス側電極１１ｂが直線レール形状に形成されている。
【００９５】
そのため、第９の実施形態の照明装置によれば、照明モジュール２０１のプラス側受電端子２０６ａの両端の球状部２０６ａ２をベース本体１０のプラス側電極１１ａに対して長手方向（図２０の右手前−左奥方向）に摺動させると共に、照明モジュール２０１のマイナス側受電端子２０６ｂの両端の球状部２０６ｂ２をベース本体１０のマイナス側電極１１ｂに対して長手方向（図２０の右手前−左奥方向）に摺動させることにより、照明モジュール２０１をベース本体１０に対して長手方向（図２０の右手前−左奥方向）に移動させることができる。
【００９６】
また、第９の実施形態の照明装置では、図１８に示すように、照明モジュール２０１のプラス側受電端子２０６ａに２個の球状部２０６ａ２が形成され、照明モジュール２０１のマイナス側受電端子２０６ｂに２個の球状部２０６ｂ２が形成されている。そのため、第９の実施形態の照明装置によれば、照明モジュール２０１のプラス側受電端子２０６ａに１個の球状部２０６ａ２が形成され、照明モジュール２０１のマイナス側受電端子２０６ｂに１個の球状部２０６ｂ２が形成されている場合よりも、照明モジュール２０１のＬＥＤ２からベース本体１０のプラス側電極１１ａおよびマイナス側電極１１ｂへの伝熱効率を向上させることができる。
【００９７】
第１０の実施形態では、上述した第１から第９の実施形態を適宜組み合わせることも可能である。
【図面の簡単な説明】
【００９８】
【図１】第１の実施形態の照明装置の一部を構成する照明モジュール１を斜め上側から見た斜視図である。
【図２】照明モジュール１を斜め下側から見た斜視図である。
【図３】照明モジュール１の分解斜視図である。
【図４】照明モジュール１がベース本体１０に装着される状態を示した斜視図である。
【図５】照明モジュール１がベース本体１０に装着された状態を示した部分断面図である。
【図６】第３の実施形態の照明装置の一部を構成する照明モジュール１’を斜め上側から見た斜視図である。
【図７】第４の実施形態の照明装置の照明モジュール１がベース本体１０’に装着された状態を示した部分断面図である。
【図８】第５の実施形態の照明装置の一部を構成する照明モジュール１０１を斜め上側から見た斜視図である。
【図９】照明モジュール１０１を斜め下側から見た斜視図である。
【図１０】照明モジュール１０１の分解斜視図である。
【図１１】第５の実施形態の照明装置のベース本体１１０の断面図である。
【図１２】プラス側電極下側片１１１ａ−２およびマイナス側電極下側片１１１ｂ−２を図１１の上側から見た図である。
【図１３】プラス側電極上側片１１１ａ−１およびマイナス側電極上側片１１１ｂ−１を図１１の下側から見た図である。
【図１４】照明モジュール１０１がベース本体１１０に装着される状態を示した図である。
【図１５】照明モジュール１０１がベース本体１１０に装着された状態を示した図である。
【図１６】第７の実施形態の照明装置の一部を構成する照明モジュール１０１’を斜め上側から見た斜視図である。
【図１７】第８の実施形態の照明装置の照明モジュール１０１がベース本体１１０’に装着される状態を示した図である。
【図１８】第９の実施形態の照明装置の一部を構成する照明モジュール２０１を斜め上側から見た斜視図である。
【図１９】照明モジュール２０１を斜め下側から見た斜視図である。
【図２０】照明モジュール２０１がベース本体１０に装着される状態を示した斜視図である。
【符号の説明】
【００９９】
１                            照明モジュール
２                            ＬＥＤ
３                            フレキシブル基板
３ａ，３ｄ                    絶縁層
３ｂ，３ｃ                    導体パターン
４ａ，４ｂ                    金属基板
５ａ，５ｂ                    絶縁性補強板
６ａ                          プラス側受電端子
６ａ１                        円柱状部
６ａ２                        球状部
６ｂ                          マイナス側受電端子
６ｂ１                        円柱状部
６ｂ２                        球状部
７ａ，７ｂ                    ワイヤハーネス
１０                          ベース本体
１１ａ                        プラス側電極
１１ｂ                        マイナス側電極
１２                          フレーム
１３                          絶縁部材
１４ａ，１４ｂ                ワイヤハーネス
【図１】
2008218109.tif 000003
【図２】
2008218109.tif 000004
【図３】
2008218109.tif 000005
【図４】
2008218109.tif 000006
【図５】
2008218109.tif 000007
【図６】
2008218109.tif 000008
【図７】
2008218109.tif 000009
【図８】
2008218109.tif 000010
【図９】
2008218109.tif 000011
【図１０】
2008218109.tif 000012
【図１１】
2008218109.tif 000013
【図１２】
2008218109.tif 000014
【図１３】
2008218109.tif 000015
【図１４】
2008218109.tif 000016
【図１５】
2008218109.tif 000017
【図１６】
2008218109.tif 000018
【図１７】
2008218109.tif 000019
【図１８】
2008218109.tif 000020
【図１９】
2008218109.tif 000021
【図２０】
2008218109.tif 000022